(57)【要約】【課題】本発明は、腰を屈めることなく食器類の出し入れができる使い勝手のよい食器洗浄機を提供することを目的とする。【解決手段】本発明は、外枠に引き出し収納自在に備えられ、食器類を出し入れする開口を上側に有する洗浄槽と、前記外枠から引き出された前記洗浄槽を前記外枠よりも高く上げ、前記外枠に収納されるように前記洗浄槽を低く下げる上げ下げ手段とを有することを特徴とする。また上げ下げ手段はリンク機構を有し、洗浄槽が上下方向に移動するように導く上下移動案内手段を設けたことを特徴とする。【選択図】図５
2006296459.tif 000002
【特許請求の範囲】
【請求項１】
外枠に引き出し収納自在に備えられ、食器類を出し入れする開口を上側に有する洗浄槽と、前記外枠から引き出された前記洗浄槽を前記外枠よりも高く上げ、前記外枠に収納されるように前記洗浄槽を下げる上げ下げ手段とを有することを特徴とする食器洗浄機。
【請求項２】
外枠に引き出し収納自在に備えられ、食器類を出し入れする開口を上側に有する洗浄槽と、前記洗浄槽を載置して上下する上げ下げ手段と、前記上げ下げ手段を前記外枠に引き出し収納自在に移動させる横行移動手段とを有することを特徴とする食器洗浄機。
【請求項３】
請求項２記載の食器洗浄機において、
前記上げ下げ手段は、リンク機構を有することを特徴とする食器洗浄機。
【請求項４】
請求項２記載の食器洗浄機において、
前記洗浄槽が上下方向に移動するように導く上下移動案内手段を設けたことを特徴とする食器洗浄機。
【請求項５】
請求項１から４のいずれかに記載された食器洗浄機において、
前記洗浄槽の上げ下げで前記洗浄槽の外部両側面側が出入し、かつ前記上げ下げ手段を外側から覆う外側面覆い板を前記上げ下げ手段に備えたことを特徴とする食器洗浄機。
【請求項６】
請求項５に記載された食器洗浄機において、
前記洗浄槽と外側面覆い板との間に存在する隙間を隠す伸縮自在なるカーテンを備えたことを特徴とする食器洗浄機。
【請求項７】
請求項１から６のいずれかに記載された食器洗浄機において、
前記洗浄槽の上下位置を検知する上下位置検知手段を有することを特徴とする食器洗浄機。
【請求項８】
請求項１から７のいずれかに記載された食器洗浄機において、
前記外枠に収納した前記洗浄槽を前記上げ下げ手段で上側に持ち上げ、前記洗浄槽の上端側を前記外枠の上壁部側に押し付けて洗浄槽の上側の開口を閉鎖することを特徴とする
食器洗浄機。
【請求項９】
請求項８に記載された食器洗浄機において、
前記洗浄槽の上端側と前記外枠の上壁部側との間にシールパッキングを介在したことを特徴とする食器洗浄機。
【発明の詳細な説明】
【技術分野】
【０００１】
本発明は、外枠（筐体）より洗浄槽を引き出して食器類を収納し、洗浄する食器洗浄機の改良に関する。
【背景技術】
【０００２】
食器類を収納する洗浄槽を引き出す食器洗浄機は、例えば、特開２００４−２１５９０１号公報（特許文献１）に記載されている。
【０００３】
【特許文献１】特開２００４−２１５９０１号公報
【発明の開示】
【発明が解決しようとする課題】
【０００４】
特許文献１に記載される食器洗浄機は、通常、台所のキッチンユニットに埋め込んで使用される。キッチンユニットに埋め込まれるので、引き出し収納自在なる洗浄槽は、キッチンユニットの天板（上板）よりも下がった位置に置かれる。このため、食器類の出し入れでは、腰を屈め加減になるので、使い勝手がよくない。
【０００５】
本発明は、上記の問題に鑑み、腰を屈めることなく食器類の出し入れができる使い勝手のよい食器洗浄機を提供することを目的とする。
【課題を解決するための手段】
【０００６】
本発明は、外枠に引き出し収納自在に備えられ、食器類を出し入れする開口を上側に有する洗浄槽と、前記外枠から引き出された前記洗浄槽を前記外枠よりも高く上げ、前記外枠に収納されるように前記洗浄槽を低く下げる上げ下げ手段とを有することを特徴とする。
【発明の効果】
【０００７】
本発明によれば、洗浄槽は外枠から引き出されると、外枠よりも高く上げられるので、腰を屈めることなく食器類の出し入れができる。これにより、使い勝手のよい食器洗浄機を提供することができる。
【発明を実施するための最良の形態】
【０００８】
本発明の実施例について、図を引用して説明する。
【０００９】
まず、図１、図２、図３に基づいてキッチンユニットに内装される食器洗浄機の概要から順を追って説明する。
【００１０】
キッチンユニット１は、上に上板（天板）２を有する。上板（天板）２の中央には、落し込みの流部３が設けられる。
【００１１】
このキッチンユニット１に食器洗浄機は内装される。食器洗浄機は、外枠４と洗浄槽５を有する。洗浄槽５は、外枠４に引き出し収納自在に備えられ、食器類を出し入れする開口６を上側に有する。食器洗浄機は、外枠４をキッチンユニット１に埋め込むようにして内装される。
【００１２】
食器洗浄機は、落し込みの流部３の丈分以上の高さ程度、上板（天板）２から下げられて内装される。
【００１３】
洗浄槽５は、図１に示すように食器類を置く食器かご６が内置される。また、洗浄槽５は、図示されていないが、下部の方に洗浄水を噴射する回転ノズル体、洗浄水を回転ノズル体に供給する洗浄ポンプ、洗浄水を溜める水溜部を有する。
【００１４】
洗浄槽５は、前面に前面パネル６０を有する。前面パネル６０には、前面に洗浄操作部６１、上部に昇降操作部６２が設けられる。洗浄操作部６１を操作して食器洗浄機の運転が行なわれる。昇降操作部６２を操作して後述する洗浄槽５の上下動作が行なわれる。
【００１５】
図４、図５、図６に示すように食器洗浄機は、洗浄槽５を載置して上げ下げする上げ下げ手段７を有する。
【００１６】
上げ下げ手段７は、上げ下げ基台枠８、リンク機構のリンクアーム９ａ，９ｂ、載置ベース１０ａ，１０ｂを有する。この載置ベース１０ａ，１０ｂの上に洗浄槽５が載置され、ネジ穴１０ｃに通したネジ（図示せず）で洗浄槽５を載置ベース１０ａ，１０ｂを締結する。
【００１７】
上げ下げ基台枠８は、枠底板８ａ、側枠板８ｂ，ｃ、前枠板８ｄ、後枠棒体８ｅを有し、側枠板８ｂ，ｃ、前枠板８ｄ、後枠棒体８ｄを矩形に組んで構成している。前枠板８ｄには、上げ下げ手段７を上下に動かす駆動用モータ１１が設けられる。駆動用モータ１１は、前枠板８ｄに設けたモータベース１２に支持される。
【００１８】
駆動用モータ１１は上げ下げ基台枠８の内側に置かれ、前枠板８ｄを貫通して前側に突出させた回転軸１１ａの前側には小径のモータプーリ１１ｂを支持固定する。大径のプーリ１３は、モータプーリ１１ｂより離して前枠板８ｄの前側に置かれ、回転軸棒１４に支持固定される。
【００１９】
回転軸棒１４は、モータベース１２の軸棒受部１５と軸棒支持部１６に回転自在に支持される。軸棒支持部１６は、モータベース１２の軸棒受部１５から離間して設けられ、かつ枠底板８ａを切起こして形成される。
【００２０】
回転軸棒１４は、軸棒受部１５、および軸棒支持部１６に回転自在に、かつ軸方向には移動ができないように支持される。回転軸棒１４は、軸棒受部１５と軸棒支持部１６の間が全体に亘りネジ山が形成されている。
【００２１】
小径のモータプーリ１１ｂと大径のプーリ１３には、ベルト１７が掛けわたされ、駆動用モータ１１の回転が回転軸棒１４に伝えられる。回転軸棒１４の回転によって、上げ下げ手段７は上下に作動する。
【００２２】
リンク機構のリンクアーム９ａ，９ｂは、中間部が交差するようにして支持軸１８に回動自在に連結される。リンクアーム９ａの下端側は、側枠板８ｂ，ｃの案内長溝１９に移動自在に支持される移動操作軸２０に回動自在に支持される。移動操作軸２０は、案内長溝１９に回転ローラ２１を介して支持されるので、案内長溝１９内を円滑に横行移動する。
【００２３】
移動操作軸２０の長手方向の中間には、回転軸棒１４のネジ山のところが螺合する。このため、回転軸棒１４の回転（正転／逆転）に伴い、移動操作軸２０の案内長溝１９内を往き来するように移動する。リンクアーム９ｂの下端側は、後枠棒体８ｅを用いて、側枠板８ｂ，ｃに回動自在に支持される。
【００２４】
載置ベース１０ａ，１０ｂはＬ形状を有し、縦辺部にガイド長溝２２が形成される。ガイド長溝２２に回転ローラ２３が回動自在に嵌る。この回転ローラ２３にリンクアーム９ｂの上端側が支持部材２４を用いて回動自在に支持される。
【００２５】
リンクアーム９ａの上端側は、後軸棒体２５を用いて、載置ベース１０ａ，１０ｂの縦辺部に回動自在に支持される。
【００２６】
上げ下げ手段７は、上記のようなリンク機構の構成を有する。
【００２７】
駆動用モータ１１の回転により、リンクアーム９ａ，９ｂは、支持軸１８を支点として回動し、リンクアーム９ａ，９ｂが立った状態になると、載置ベース１０ａ，１０ｂに載置された洗浄槽５は上に持ち上げられる。逆に、リンクアーム９ａ，９ｂが横に倒れた状態になると、洗浄槽５は下げられる。
【００２８】
洗浄槽５が持ち上げられると、図１に示すように、洗浄槽５の上部の開口６がキッチンユニット１の上板（天板）２とほぼ同じ高さになるので、腰を屈めることなく食器類の出し入れができる。使い勝手のよいものである。
【００２９】
洗浄槽５を下げることで、キッチンユニット１内の外枠４に洗浄槽５を収納できる。
【００３０】
中間部が交差するように回動自在に連結される二つのリンクアーム９ａ，９ｂを用いたリンク機構であるので、洗浄槽５の上下動作が安定して行なわれる。載置ベース１０ａ，１０ｂのガイド長溝２２や案内長溝１９に回転ローラ２３、回転ローラ２１を介してリンクアーム９ａ，９ｂが円滑に往き来自在に支持されている。このため、リンク機構の上下動作が円滑で、洗浄槽５の上下動作がスムーズに行われる。
【００３１】
洗浄槽５の上下が、リンク機構を動かす駆動用モータ１１により行われるので、洗浄槽５の上下が人手によらずに行われる。
【００３２】
上げ下げ手段７は、図２、図３、図４、図５に示すように横行移動手段２６により、外枠４に引き出し収納自在に支持されている。横行移動手段２６は、図１１、図１２に示すように、固定レール２７と、コロ（図示せず）を介して固定レール２７上に載る可動レール２８を有する。上げ下げ手段７の枠底板８ａは、可動レール２８にネジで締結される。
【００３３】
可動レール２８は、固定レール２７に載って前後に移動する。上げ下げ手段７は、可動レール２８に支持されている。このため、食器類が入った重い洗浄槽５を載置した上げ下げ手段７は、外枠４に引き出し収納が円滑に行われる。
【００３４】
図１、図２、図４、図１１、図１２に示すように、上げ下げ手段７の両側に設けられる外側面覆い板２９は、側枠板８ｂ，ｃおよび洗浄槽５の一部を外側から覆う。洗浄槽５の外側と外枠４の側壁４ａとの間に存在する外側面覆い板２９は、上げ下げ手段７の枠底板８ａを下側から支持する支持底板２９ａと一体に形成される。
【００３５】
外側面覆い板２９は、枠底板８ａに取り付け、支持底板２９ａを省略することも可能である。
【００３６】
この外側面覆い板２９により、上げ下げ手段７のリンク機構が外側からカバーされるので、安全であり、体裁も良くなる。
【００３７】
図２、図３、図４、図５に示すように、洗浄槽５の上下作動を案内する上下移動案内手段４０が洗浄槽５の側面に備わる。上下移動案内手段４０は、固定案内部材４０ａと可動案内部材４０ｂを有する。可動案内部材４０ｂは固定案内部材４０ａ内に摺動自在に出入りする。
【００３８】
上下移動案内手段４０は、洗浄槽５と外側面覆い板２９に対し、縦になるように設けられる。固定案内部材４０ａは、外側面覆い板２９の内面側にネジ等で締め付け固定される。可動案内部材４０ｂは、洗浄槽５の外面側にネジ等で締め付け固定される。
【００３９】
上げ下げ手段７により、洗浄槽５が上下移動する際に上下移動案内手段４０は、洗浄槽５を上下方向に真っ直ぐガイドする。このため、上下移動する際し、洗浄槽５は前後に揺れ動くことがなく、洗浄槽５が外枠４や前枠板８ｄに当たって洗浄槽５の上下動作不良を起こす恐れがない。
【００４０】
図２、図３、図４、図５に示すように上下位置検知手段が設けられる。上下位置検知手段は、上位置検知スイッチ４１、下位置検知スイッチ４２を有する。上位置検知スイッチ４１、下位置検知スイッチ４２は、洗浄槽５に設けられる。
【００４１】
固定案内部材４０ａの上側後面には、スイッチ用後側カム４３が設けられる。洗浄槽５が上側に持ち上げられ、スイッチ用後側カム４３が上位置検知スイッチ４１の押し釦に接して上位置検知スイッチ４１が作動する。この上位置検知スイッチ４１の作動により、洗浄槽５が上側位置に来たことを検知できる。
【００４２】
洗浄槽５が下げられ、スイッチ用後側カム４３が下位置検知スイッチ４２の押し釦に接して下位置検知スイッチ４２が作動する。この下位置検知スイッチ４２の作動により、洗浄槽５が下側位置に来たことを検知できる。
【００４３】
昇降操作部６２の操作で、駆動用モータ１１が運転され、上げ下げ手段７が作動して洗浄槽５の上げ下げ行われる。洗浄槽５が上側に上がったところで、上位置検知スイッチ４１が作動し、上げ下げ手段７の上昇が停止する。
【００４４】
上げ下げ手段７の降下作動では、洗浄槽５の下がったところで下位置検知スイッチ４２が作動し、上げ下げ手段７の下降が停止する。
【００４５】
蓋閉鎖検知スイッチ４４は洗浄槽５に設けられる。可動案内部材４０ｂを挟んで下位置検知スイッチ４２の反対側に置かれる。固定案内部材４０ａの上側前面には、スイッチ用前側カム４５が設けられる。
【００４６】
スイッチ用前側カム４５が蓋閉鎖検知スイッチ４４の押し釦に接して蓋閉鎖検知スイッチ４４が作動する。詳しくは、後で述べるが、この蓋閉鎖検知スイッチ４４の作動で、洗浄槽５の蓋閉鎖が検知される。
【００４７】
図１、図７、図８に示すように、洗浄槽５の側面側に側面用のカーテン４６が、前側に前側用のカーテン４７が、後側に後側用のシートカバー４８が設けられる。
【００４８】
側面用のカーテン４６は、上側が洗浄槽５の側面に、下側が外側面覆い板２９にネジ等で固定される。前側用のカーテン４７は、上側が洗浄槽５の前面パネル６０に、下側が前枠板８ｄにネジ等で固定される。シートカバー４８は、上側が洗浄槽５の後面にネジ等で固定され、下端は止めずに置かれる。
【００４９】
洗浄槽５と外側面覆い板２９との間に存在する隙間が、側面用のカーテン４６により隠されるので、箸、スプーン等の細かな食器類が落ちて入り込むことが無く、リンク機構が異物を噛む不良事故を未然に防ぐことができる。
【００５０】
また、前側用のカーテン４７は、洗浄槽５の前面パネル６０と前枠板８ｄとの間に存在する隙間を覆うので、上記と同様な不良事故を未然に防ぐことができる。
【００５１】
シートカバー４８は、洗浄槽５と外枠４との間に存在する隙間を隠すので、上記と同様な不良事故を未然に防ぐことができる。
【００５２】
また、側面用のカーテン４６と前側用のカーテン４７は、折りたたみ襞の付いた伸縮自在なるカーテンであるので、洗浄槽５の上げ下げ動作の支障にならない。
【００５３】
シートカバー４８は、下端が止めずに置かれるので、洗浄槽５の上げ下げに際し、まくれるように撓む。このため、洗浄槽５の上げ下げ動作の支障にならない。
【００５４】
洗浄槽の蓋閉鎖について、図９、図１０、図１１、図１２、図１３、図１４に沿って説明する。
【００５５】
図１０、図１２、図１４は洗浄槽の蓋閉鎖の状態を示す。図９、図１１、図１３は洗浄槽５の蓋閉鎖が行われていない状態を示す。
【００５６】
外枠４の上壁部４ｂは、洗浄槽５の開口６の蓋を兼ねている。上壁部４ｂの内面（下面）にシールパッキング４９が設けられる。シールパッキング４９は、洗浄槽５の開口６の周縁上端５ａと対面するところに設けられている。
【００５７】
このため、図１０、図１２、図１４に示すように洗浄槽５が上げられることにより、周縁上端５ａがシールパッキング４９に押し当てられ、上壁部４ｂによる開口６の閉鎖は、水密・気密がよく保たれる。洗浄槽５の蓋閉鎖が良く行われるのである。
【００５８】
なお、シールパッキング４９を周縁上端５ａに設けるようにしても、水密・気密は、同様に保たれる。
【００５９】
洗浄槽５が外枠４に引き出し収納される際には、図９、図１１、図１３に示すように洗浄槽５を少し下げ、開口６の周縁上端５ａが外枠４の上壁部４ｂの内面（下面）に接しないようにする。
【００６０】
これにより、洗浄槽５の外枠４への引き出し収納が円滑に行われる。シールパッキング４９が設けられていると、洗浄槽５の周縁上端５ａが当たって洗浄槽５の引き出し収納が出来なくなる。このために、洗浄槽５の引き出し収納に際し、洗浄槽５を少し下げるのである。
【００６１】
蓋閉鎖に伴う洗浄槽５の上下動作は、蓋閉鎖検知スイッチ４４に検知される。
【００６２】
すなわち、洗浄槽５が外枠４に収納されると、昇降操作部６２を操作して上げ下げ手段７を上昇動作させ、洗浄槽５を上げて蓋閉鎖を行う。蓋閉鎖が行われるところまで、洗浄槽５が上がったところで蓋閉鎖検知スイッチ４４が作動し、上げ下げ手段７が停止する。
【００６３】
洗浄槽５の降下動作も昇降操作部６２の操作により行われる。
【００６４】
また、洗浄槽５の蓋閉鎖を行う洗浄槽５の上げ下げは、食器類の出し入れをし易くするために設けた上げ下げ手段７を利用して行われるので、蓋閉鎖を行うための上げ下げ装置が不要である。上げ下げ手段７を動かすソフト的な対応で洗浄槽５の蓋閉鎖を行うことできるので、構成が簡単で安価である。
【図面の簡単な説明】
【００６５】
【図１】本発明の実施例に係わるもので、キッチンユニットに内装された食器洗浄機の外観斜視図。
【図２】本発明の実施例に係わるもので、洗浄槽を外枠から引き出した状態を示す食器洗浄機の斜視図。
【図３】本発明の実施例に係わるもので、洗浄槽を外枠から引き出された外側面覆い板が付いていない状態を示す食器洗浄機の斜視図。
【図４】本発明の実施例に係わるもので、洗浄槽を外枠から引き出して持ち上げた状態を示す食器洗浄機の斜視図。
【図５】本発明の実施例に係わるもので、洗浄槽を外枠から引き出して持ち上げた外側面覆い板が付いていない状態を示す食器洗浄機の斜視図。
【図６】本発明の実施例に係わるもので、上げ下げ手段７を示す斜視図。
【図７】本発明の実施例に係わるもので、洗浄槽を前側から見た斜視図。
【図８】本発明の実施例に係わるもので、洗浄槽を後側から見た斜視図。
【図９】本発明の実施例に係わるもので、洗浄槽を外枠に収納した状態を示す食器洗浄機の斜視図。
【図１０】本発明の実施例に係わるもので、洗浄槽を外枠に収納し洗浄槽の蓋閉鎖状態を示す食器洗浄機の斜視図。
【図１１】本発明の実施例に係わるもので、洗浄槽が外枠の上壁部に押し付けられる前の蓋閉鎖前の状態を示す斜視図。
【図１２】本発明の実施例に係わるもので、洗浄槽が外枠の上壁部に押し付けられて蓋閉鎖が行なわれた状態を示す斜視図。
【図１３】本発明の実施例に係わるもので、蓋閉鎖前の状態をリンク機構を含めて示す斜視図。
【図１４】本発明の実施例に係わるもので、蓋閉鎖が行なわれた状態をリンク機構を含めて示す斜視図。
【符号の説明】
【００６６】
４…外枠、６…開口、５…洗浄槽、７…上げ下げ手段、リンクアーム９ａ，９ｂ、４０…上下移動案内手段。
【図１】
2006296459.tif 000003
【図２】
2006296459.tif 000004
【図３】
2006296459.tif 000005
【図４】
2006296459.tif 000006
【図５】
2006296459.tif 000007
【図６】
2006296459.tif 000008
【図７】
2006296459.tif 000009
【図８】
2006296459.tif 000010
【図９】
2006296459.tif 000011
【図１０】
2006296459.tif 000012
【図１１】
2006296459.tif 000013
【図１２】
2006296459.tif 000014
【図１３】
2006296459.tif 000015
【図１４】
2006296459.tif 000016